(57)【要約】【課題】出退表示対象者の詳細な出退状況を表示する。【解決手段】出退表示装置１２は、受付手段と、生成手段と、表示制御手段と、を備える。受付手段は、出退表示対象者の識別情報を受け付ける。生成手段は、前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成する。表示制御手段は、前記表示画像を表示部に表示させる制御を行う。【選択図】図２
2013089102.tif 000002
【特許請求の範囲】
【請求項１】
出退表示対象者の識別情報を受け付ける受付手段と、
前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成する生成手段と、
前記表示画像を表示部に表示させる制御を行う表示制御手段と、
を備えた出退表示装置。
【請求項２】
前記生成手段は、
出席を示す情報に対応する前記表示名情報の表示領域が、前記第１表示形態および前記第２表示形態を含む予め定めた表示形態群αのうちのいずれかを示し、且つ前記出席時刻からの経過時間が長くなるほど、該第１情報に対応する前記表示名情報の表示領域が、該表示形態群αにおける前記第１表示形態からから前記第２表示形態に向かって変化するように、前記表示画像を生成する、請求項１に記載の出退表示装置。
【請求項３】
前記生成手段は、
退席を示す情報に対応する前記表示名情報の表示領域が、前記第３表示形態および前記第４表示形態を含む予め定めた表示形態群βのいずれかを示し、且つ前記退席時刻からの経過時間が長くなるほど、該第１情報に対応する前記表示名情報の表示領域が、該表示形態群βにおける前記第３表示形態から前記第４表示形態に向かって変化するように、前記表示画像を生成する、請求項１または請求項２に記載の出退表示装置。
【請求項４】
前記表示形態群αと前記表示形態群βとは、表示に用いる色により特徴付けられており、互いに表示に用いる色が異なる請求項１〜請求項３の何れか１項に記載の出退表示装置。
【請求項５】
前記生成手段は、
前記表示形態群αにおける前記第１表示形態と、前記表示形態群αにおける前記第２表示形態とが、同一色で且つ濃度が異なるように、前記表示画像を生成する、請求項４に記載の出退表示装置。
【請求項６】
前記生成手段は、
前記表示形態群βにおける前記第３表示形態と、前記表示形態群βにおける前記第４表示形態とが、同一色で且つ濃度が異なるように、前記表示画像を生成する、請求項４または請求項５に記載の出退表示装置。
【請求項７】
前記生成手段は、
前記表示形態群αにおける前記第１表示形態と、前記表示形態群αにおける前記第２表示形態とが、前記表示名情報の表示領域における、出席を示す予め定めた色領域の占有率が異なるように、前記表示画像を生成する、請求項２に記載の出退表示装置。
【請求項８】
前記生成手段は、
前記表示形態群βにおける前記第３表示形態と、前記表示形態群βにおける前記第４表示形態とが、前記表示名情報の表示領域における、退席を示す予め定めた色領域の占有率が異なるように、前記表示画像を生成する、請求項３に記載の出退表示装置。
【請求項９】
前記識別情報は、生体認証情報である、請求項１〜請求項８の何れか１項に記載の出退表示装置。
【請求項１０】
出退表示装置と、前記出退表示装置に通信回線を介して接続された表示装置と、を備えた出退表示システムであって、
前記出退表示装置は、
出退表示対象者の識別情報を受け付ける受付手段と、
前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成する生成手段と、
前記表示画像を前記表示装置に表示させる制御を行う表示制御手段と、
を備え、
前記表示装置は、前記表示画像を表示する、
出退表示システム。
【請求項１１】
コンピュータに実行させるための出退表示プログラムであって、
出退表示対象者の識別情報を受け付けるステップと、
前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成するステップと、
前記表示画像を表示部に表示させる制御を行うステップと、
を前記コンピュータに実行させるための出退表示プログラム。
【請求項１２】
出退表示装置で実行される出退表示方法であって、
出退表示対象者の識別情報を受け付けるステップと、
前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成するステップと、
前記表示画像を表示部に表示させる制御を行うステップと、
を備えた出退表示方法。
【発明の詳細な説明】
【技術分野】
【０００１】
本発明は、出退表示装置、出退表示システム、出退表示プログラム、及び出退表示方法に関する。
【背景技術】
【０００２】
出退表示対象者の出退状況を表示する出退表示システムが知られている（例えば、特許文献１、及び特許文献２参照）。特許文献１には、操作器の操作スイッチが操作されることで、操作スイッチに対応する出退表示対象者の出退を表示することが開示されている。また、特許文献２には、入力手段によって入力された個人識別情報を日付及び時刻に対応づけて蓄積することが開示されている。
【先行技術文献】
【特許文献】
【０００３】
【特許文献１】特開２００３−６７７９７号公報
【特許文献２】特開２００３−３３１３３０号公報
【発明の概要】
【発明が解決しようとする課題】
【０００４】
しかしながら、上記従来技術では、たとえば、出退表示が出席となっていても、朝からずっと出席しているのか、直前に出席したのかを表示することはできない。このように、従来技術では、出退表示対象者の各々の出退状況を詳細に表示することは困難であった。
【０００５】
本発明は、上記に鑑みてなされたものであって、出退表示対象者の詳細な出退状況を表示することができる、出退表示装置、出退表示システム、出退表示プログラム、及び出退表示方法を提供することを主な目的とする。
【課題を解決するための手段】
【０００６】
本発明の出退表示装置は、受付手段と、生成手段と、表示制御手段と、を備える。受付手段は、出退表示対象者の識別情報を受け付ける。生成手段は、前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成する。表示制御手段は、前記表示画像を表示部に表示させる制御を行う。
【０００７】
本発明の出退表示システムは、出退表示装置と、前記出退表示装置に通信回線を介して接続された表示装置と、を備えた出退表示システムである。前記出退表示装置は、受付手段と、生成手段と、表示制御手段と、を備える。受付手段は、出退表示対象者の識別情報を受け付ける。生成手段は、前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成する。表示制御手段は、前記表示画像を前記表示装置に表示させる制御を行う。前記表示装置は、前記表示画像を表示する。
【０００８】
本発明の出退表示プログラムは、コンピュータに実行させるための出退表示プログラムである。出退表示プログラムは、出退表示対象者の識別情報を受け付けるステップと、前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成するステップと、前記表示画像を表示部に表示する制御を行うステップと、を前記コンピュータに実行させるための出退表示プログラムである。
【０００９】
本発明の出退表示方法は、出退表示装置で実行される出退表示方法である。本発明の出退表示方法は、出退表示対象者の識別情報を受け付けるステップと、前記識別情報の受け付け時刻を出席時刻または退席時刻とし、前記出席時刻からの経過時間が長くなるほど、受け付けた前記識別情報の前記出席表示対象者の表示名情報の表示領域が第１表示形態から第２表示形態に向かって変化し、前記退席時刻からの経過時間が長くなるほど、受け付けた前記識別情報の前記出席表示対象者の前記表示名情報の前記表示領域が第３表示形態から第４表示形態に向かって変化するように、表示画像を生成するステップと、前記表示画像を表示部に表示する制御を行うステップと、を備えた出退表示方法である。
【発明の効果】
【００１０】
本発明によれば、出退表示対象者の詳細な出退状況を表示することができる、という効果を奏する。
【図面の簡単な説明】
【００１１】
【図１】図１は、本実施の形態の出退表示システムを模式的に示した図である。
【図２】図２は、本実施の形態の出退表示システムの構成、及び出退表示システムに含まれる各装置の機能的構成を示すブロック図である。
【図３】図３は、表示画像の一例を示す模式図である。
【図４】図４は、記憶部に格納されているデータのデータ構造を示す模式図である。
【図５】図５は、表示形態の一例を示す模式図である。
【図６】図６は、経過時間情報に応じた表示形態の変化の第１の例を示す模式図である。
【図７】図７は、経過時間情報に応じた表示形態の変化の第２の例を示す模式図である。
【図８】図８は、更新処理の手順を示すフローチャートである。
【図９】図９は、認証処理の手順を示すフローチャートである。
【図１０】図１０は、出退管理処理の手順を示すフローチャートである。
【図１１】図１１は、出退表示処理の手順を示すフローチャートである。
【図１２】図１２は、表示画像の一例を示す模式図である。
【図１３】図１３は、表示画像の一例を示す模式図である。
【図１４】図１４は、表示画像の一例を示す模式図である。
【図１５】図１５は、表示画像の一例を示す模式図である。
【発明を実施するための形態】
【００１２】
以下に添付図面を参照して、本実施形態にかかる出退表示装置、出退表示システム、出退表示プログラム、及び出退表示方法の実施の形態を詳細に説明する。
【００１３】
図１は、本実施の形態の出退表示システム１０を模式的に示した図である。
【００１４】
出退表示システム１０は、出退表示対象者の出退状況を管理及び表示するシステムである。出退表示対象者とは、予め定めた場所に出席または退席するユーザであって、出退表示システム１０で出退状況を管理及び表示する対象者である。予め定めた場所としては、出退表示システム１０を設置する建物や、該建物内の特定の場所（会議室等）が挙げられるが、これに限られない。出退状況とは、出退表示対象者が出席した状態、退席した状態、出席からの経過時間、退席からの経過時間等の出退に関する詳細な情報を示す。
【００１５】
図１に示すように、出退表示システム１０は、認証器１４、出退表示装置１２、ＰＣ（Ｐｅｒｓｏｎａｌ  Ｃｏｍｐｕｔｅｒ）１８、及び表示部１６を備える。なお、出退表示システム１０は、認証器１４、表示部１６、及びＰＣ１８を複数備えた構成であってもよい。出退表示装置１２とＰＣ１８、認証器１４と出退表示装置１２、出退表示装置１２と表示部１６とは、各々、有線または無線の通信回線７０を介して接続されている。
【００１６】
出退表示装置１２と、複数のＰＣ１８の内の一部、及び複数の表示部１６の内の一部（図１中、表示部１６Ｂ参照）は、例えば、予め定められた部屋や部署等の第１領域Ｐに設置される。また、複数のＰＣ１８の内の一部、及び複数の表示部１６の内の一部（図１中、表示部１６Ａ参照）は、例えば、第１領域Ｐとは異なる予め定められた部屋や部署等の第２領域Ｑに設置される。また、複数の表示部１６の内の一部は、出退表示対象者が出入りする出入り口付近や不特定多数のユーザによって視認可能な位置に設置される。また、複数の認証器１４の内の一部は、出退表示対象者が出入りする出入り口付近等に設置される。
【００１７】
次に、本実施の形態の出退表示システム１０の構成について詳細を説明する。図２は、本実施の形態の出退表示システム１０の構成、及び出退表示システム１０に含まれる各装置の機能的構成を示すブロック図である。図１は、本実施の形態の出退表示システム１０を模式的に示した図である。
【００１８】
認証器１４は、出退表示システム１０における出退表示対象者を認証する装置である。認証器１４は、読取部６４、抽出部６６、及び送信部６８を備える。
【００１９】
読取部６４は、出退表示対象者の識別情報を読み取る。読取部６４には、例えば、識別情報として生体認証情報を読み取る公知の装置があげられる。生体認証情報には、指紋、顔、眼球の虹彩、網膜、手のひら、手首の血管、手の模様、手書きサイン、声紋等が挙げられる。
【００２０】
以下では、読取部６４は、生体認証情報として、指紋情報を読み取るものとして説明する。
【００２１】
抽出部６６は、読取部６４で読み取った生体認証情報から、個人識別のための特徴点を抽出する。読取部６４で指紋を読み取る場合には、抽出部６６は、読取部６４で読み取られた指紋情報から指紋の特徴点を抽出する。送信部６８は、抽出部６６で抽出された特徴点を、出退表示対象者の生体認証情報（すなわち識別情報）として、出退表示装置１２へ送信する。出退表示装置１２は、詳細は後述するが、出退表示対象者の出退状況を管理及び表示する。
【００２２】
ＰＣ１８は、公知のＰｅｒｓｏｎａｌ  Ｃｏｍｐｕｔｅｒで構成され、表示部１７（図１参照）を備える。表示部１６は、分配器７２等を介して出退表示装置１２に接続されている。表示部１７及び表示部１６としては、ＬＣＤ（Ｌｉｑｕｉｄ  Ｃｒｙｓｔａｌ  Ｄｉｓｐｌａｙ）等の公知の表示装置が挙げられる。
【００２３】
表示部１６及び表示部１７は、出退表示装置１２から表示画像情報を受け付け、出退表示対象者の出退状況の表示画像を表示する。
【００２４】
図３は、出退表示対象者の出退状況の表示画像の一例を示す模式図である。
【００２５】
図３に示すように、表示画像９０には、背景領域９２上に、出退表示対象者毎の表示名の表示領域８０が表示される。表示領域８０内には、出退表示対象者の表示名が表示される。表示名としては、氏名や、役職等が挙げられる。また、表示画像９０には、各種ユーザに提示するためのテロップ情報８４等も表示可能となっている。
【００２６】
出退表示対象者の表示名の表示領域８０の表示形態は、出席を示す表示形態(以下、第３表示形態と称する)と、退席を示す表示形態（以下、第４表示形態と称する）と、で異なる形態を示す。表示形態とは、色や形状等の視角的に識別可能な形態を示す。
【００２７】
なお、表示画像９０には、第３表示形態が出席を示し、第４表示形態が退席を示すことを表す案内情報８２を表示してもよい。また、出席や退席からの経過時間に応じて、表示名の表示領域８０の表示形態は、各表示形態（第３表示形態、第４表示形態）内において変化する。これらの表示形態の変化については、詳細を後述する。
【００２８】
図１に戻り、出退表示装置１２は、出退表示対象者の出退状況を管理及び表示する。出退表示装置１２は、例えば、ＰＣ（Ｐｅｒｓｏｎａｌ  Ｃｏｍｐｕｔｅｒ）等で構成される。出退表示装置１２は、操作部２０、表示部２２、制御部２４、記憶部２６、Ｉ／Ｆ部２８、及びＩ／Ｆ部３０を備える。
【００２９】
表示部２２は、出退表示対象者の出退状況の表示画像や、記憶部２６に格納されている各種情報の変更画像等を表示する（詳細後述）。表示部２２としては、ＬＣＤ（Ｌｉｑｕｉｄ  Ｃｒｙｓｔａｌ  Ｄｉｓｐｌａｙ）等の公知の表示装置が挙げられる。
【００３０】
操作部２０は、記憶部２６に格納されている各種情報の変更指示等をユーザから受け付ける。操作部２０としては、例えば、マイク等の音声認識装置、マウス、ボタン、リモコン、及びキーボード等が挙げられる。
【００３１】
Ｉ／Ｆ部２８は、入出力インターフェイスであって、制御部２４で生成された表示画像を表示部１６や表示部２２やＰＣ１８へ送信する。Ｉ／Ｆ部３０は、入出力インターフェイスであって、各ＰＣ１８と出退表示装置１２との間で各種データを送受信する。
【００３２】
記憶部２６は、ハードディスクドライブ装置（ＨＤＤ）等の記憶媒体である。記憶部２６は、アクセス権記憶部５６、生体認証情報記憶部５８、出退状況情報記憶部６０、表示形態記憶部６２等を備える。これらのアクセス権記憶部５６、生体認証情報記憶部５８、出退状況情報記憶部６０、及び表示形態記憶部６２は、記憶部２６に格納された各種テーブルとして構成されていてもよいし、各々別の記憶媒体で構成されていてもよい。
【００３３】
図４（Ａ）には、生体認証情報記憶部５８に記憶されるデータのデータ構造の一例を示した。図４（Ａ）に示すように、生体認証情報記憶部５８は、出退表示対象者を一意に識別するコード番号等のＩＤ情報と、生体認証情報と、を対応づけて記憶する。
【００３４】
図４（Ｂ）には、出退情報記憶部６０に記憶されるデータのデータ構造の一例を示した。図４（Ｂ）に示すように、出退状況情報記憶部６０は、出退表示対象者を一意に識別するＩＤ情報と、出退表示対象者の個人情報と、出席または退席を示す第１情報と、出席時刻または退席時刻を示す時刻情報と、を対応づけて記憶する。
【００３５】
個人情報は、表示名情報を含み、生体認証情報以外の個人を特定する情報である。表示名情報は、表示部２２や表示部１６やＰＣ１８の表示部１７等に表示するときの、出退表示対象者の表示名を示す情報である。表示名情報としては、上述のように、例えば、出退表示対象者の役職を示す情報や、出退表示対象者の氏名を示す情報が挙げられる。
【００３６】
なお、本実施の形態では、生体認証情報記憶部５８と出退状況情報記憶部６０とは別々の記憶部（テーブル）として構成されている場合を説明するが、一体的に構成されていてもよい。
【００３７】
図４（Ｃ）には、アクセス権記憶部５６に記憶されるデータのデータ構造の一例を示した。図４（Ｃ）に示すように、アクセス権記憶部５６は、生体認証情報記憶部５８及びアクセス権記憶部５６に格納されている各種情報の登録や削除をする権限を記憶する。
【００３８】
具体的には、アクセス権記憶部５６は、個人情報の登録または削除を行う第１権限と、第１ユーザの識別情報とを対応づけて記憶する。また、アクセス権記憶部５６は、生体認証情報の登録または削除を行う第２権限と、第２ユーザの識別情報とを対応づけて記憶する。第１ユーザ及び第２ユーザの識別情報としては、各ユーザを一意に識別する情報であればよく、例えば、ユーザ名や、ユーザＩＤ、及び各ユーザの生体認証情報が挙げられる。中でも、第１ユーザ及び第２ユーザの識別情報としては、生体認証情報を用いることが好ましい。
【００３９】
第１ユーザとは、出退表示対象者以外のユーザであって、予め定められたユーザである。第２ユーザとは、出退表示対象者以外のユーザであって、予め定められたユーザである。なお、第１ユーザ及び第２ユーザは、同一のユーザであってもよいが、異なるユーザであることが好ましい。言い換えれば、第１権限と第２権限は、出退表示対象者以外の互いに異なるユーザに付与することが好ましい。
【００４０】
なお、アクセス権記憶部５６に格納される第１権限や第２権限に対応する第１ユーザ及び第２ユーザの識別情報は、後述する更新処理、出退管理処理、及び出退表示処理更新処理によって変更されるものではなく、プログラムの改変等によって変更される。
【００４１】
図４（Ｄ）には、表示形態記憶部６２に記憶されるデータのデータ構造の一例を示した。図４（Ｄ）に示すように、表示形態記憶部６２は、表示部２２、表示部１６、及び各ＰＣ１８の表示部１７に出退表示対象者の表示名を表示したときの、該表示名の表示領域の表示形態を記憶する。
【００４２】
表示形態とは、上述したように、色や形状等の視角的に識別可能な形態を示す。本実施の形態では、一例として、表示形態は、色濃度を示すものとして説明する。
【００４３】
表示形態記憶部６２は、詳細には、出席または退席を示す第１情報と、出席時刻または退席時刻を示す時刻情報からの経過時間と、表示名の表示領域の表示形態を示す情報と、を対応づけて記憶する。
【００４４】
詳細には、表示形態記憶部６２は、出席を示す第１情報に対応づけて、出席を示す表示形態αを示す情報の群（表示形態群α）を記憶する。また、表示形態記憶部６２は、退席を示す第１情報に対応づけて、退席を示す表示形態βを示す情報の群（表示形態群β）を記憶する。
【００４５】
また、出席を示す表示形態群αと、退席を示す表示形態群βとは、表示に用いる色により特徴付けられた群であり、互いに異なる表示形態の群である。表示形態が色濃度を示すものとする。この場合、表示形態記憶部６２は、出席を示す表示形態群αとして、特定の色（例えば黄色）を示す情報の群を記憶する。また、表示形態記憶部６２は、退席を示す表示形態群βとして、表示形態群αとは異なる色（例えば青色）を示す情報の群を記憶する。特徴付ける表示形態群を特徴付ける色は、本実施例では色相である。なお、表示形態群αにおける各表示形態の色相は、必ずしも同一の色相でなくとも類似の色相であってもよい。同様に、表示形態群βにおける各表示形態の色相は、必ずしも同一の色相でなくとも類似の色相であってもよい。
【００４６】
図５は、表示形態の一例を示す模式図である。例えば、図５に示すように、表示形態記憶部６２は、出席を示す表示形態群αとして、表示名Ｅの表示領域８０Ａを黄色Ｃを用いて表示する表示形態を示す情報の群を記憶する。また、図５に示すように、表示形態記憶部６２は、退席を示す表示形態群βとして、表示名Ｅの表示領域８０Ｂを青色Ｆを用いて表示する表示形態を示す情報の群を記憶する。
【００４７】
なお、表示名Ｅの色は、予め表示形態群α、表示形態群βの色とは異なる色が予め定められる。
【００４８】
図２に戻り、さらに、表示形態記憶部６２は、出席を示す第１情報に対応する表示名の表示領域が、予め定めた表示形態群αのいずれかの表示形態を示し、且つ時刻情報からの経過時間が長くなるほど、該第１情報に対応する表示名の表示領域が、該表示形態群αにおける第１表示形態から、第１表示形態とは異なる第２表示形態に向かって変化するように、表示形態を示す情報を記憶する。
【００４９】
表示形態が色濃度を示すものとする。この場合、表示形態記憶部６２は、出席を示す第１情報及び経過時間情報に対応づけて、経過時間が長くなるほど表示形態群αの内の特定の色濃度の第２表示形態に向かって変化する表示形態を、記憶する。例えば、表示形態群αが黄色である場合を説明する。この場合には、表示形態記憶部６２は、出席を示す第１情報及び経過時間情報に対応づけて、特定の色濃度の第１表示形態（例えば２０％濃度の黄色）から経過時間が長くなるほど第２表示形態（例えば１００％濃度の黄色）に向かって濃度変化する表示形態を記憶する。
【００５０】
また、表示形態記憶部６２は、退席を示す第１情報に対応する表示名の表示領域が、予め定めた表示形態群βのいずれかの表示形態を示し、且つ時刻情報からの経過時間が長くなるほど、該第１情報に対応する表示名の表示領域が、該表示形態群βにおける第３表示形態から、第３表示形態とは異なる第４表示形態に向かって変化するように、表示形態を示す情報を記憶する。
【００５１】
表示形態が色濃度を示すものとする。この場合、表示形態記憶部６２は、退席を示す第１情報及び経過時間情報に対応づけて、経過時間が長くなるほど特定の色濃度を示す表示形態群Βの内の特定の色濃度の第４表示形態に向かって変化する表示形態を記憶する。例えば、表示形態群βが青色である場合を説明する。この場合には、表示形態記憶部６２は、退席を示す第１情報及び経過時間情報に対応づけて、特定の色濃度の第３表示形態（例えば２０％濃度の青色）から経過時間が長くなるほど特定の色濃度の第４表示形態（例えば１００％濃度の青色）に向かって濃度変化する表示形態を記憶する。
【００５２】
図６は、経過時間情報に応じた表示形態の変化の第１の例を示す模式図である。
【００５３】
上述のように、例えば、表示形態記憶部６２が、出席を示す第１情報及び経過時間情報に対応づけて、２０％濃度の黄色の第１表示形態から経過時間が長くなるほど１００％濃度の黄色の第２表示形態に向かって濃度変化する表示形態を記憶する。この場合、図６に示すように、例えば、出席時刻ＴＡから退席時刻ＴＢまでの出退表示対象者が出席した状態にある期間Ａでは、出席を示す表示形態として、表示名Ｅの表示領域８０Ａ（Ａ１〜Ａ５）は黄色Ｃ（Ｃ１〜Ｃ５）のいずれかの表示形態で表示されることとなる。また、出席時刻ＴＡからの経過時間が長くなるほど（図６中、ＴＡの右側に連続するＴ１〜Ｔ５参照）、２０％濃度の黄色Ｃ１の表示領域８０Ａ１の第１表示形態から、１００％濃度の黄色Ｃ５の表示領域８０Ａ５の第２表示形態に向かって、表示領域８０Ａの濃度が徐々に変化する（表示領域８０Ａ１〜８０Ａ５の黄色Ｃ１〜黄色Ｃ５参照）。
【００５４】
なお、表示領域８０Ａ５の第２表示形態に向かって、表示領域８０Ａの濃度が徐々に変化する期間は、予め定めた期間であればよい。例えば、出席時刻から所定時間（例えば、３０分等）の期間において、表示領域８０Ａ５の第２表示形態に向かって、表示領域８０Ａの濃度が表示領域８０Ａ１の第１表示形態から徐々に変化し、該所定期間を超えると、表示領域８０Ａ５の第２表示形態を維持してもよい。
【００５５】
また、同様に、例えば、表示形態記憶部６２が、退席を示す第１情報及び経過時間情報に対応づけて、２０％濃度の青色の第３表示形態から経過時間が長くなるほど１００％濃度の青色の第４表示形態に向かって変化する表示形態を記憶する。この場合、図６に示すように、例えば、退席時刻ＴＢから出席時刻ＴＡまでの出退表示対象者が退席した状態にある期間Ｂでは、退席を示す表示形態群βとして、表示名Ｅの表示領域８０Ｂ（Ｂ１〜Ｂ５）は青色Ｆ（Ｆ１〜Ｆ５）のいずれかの表示形態で表示されることとなる。また、２０％濃度の青色Ｆ１の表示領域８０Ｂ１の第３表示形態から、退席時刻ＴＢからの経過時間が長くなるほど（図６中、ＴＢの右側に連続するＴ１〜Ｔ５参照）、１００％濃度の青色Ｆ５の表示領域８０Ｂ５の第４表示形態に向かって、表示領域８０Ｂの色濃度が徐々に変化する（表示領域８０Ｂ１〜８０Ｂ５の青色Ｆ１〜青色Ｆ５参照）。
【００５６】
なお、表示領域８０Ｂ５の第４表示形態に向かって、表示領域８０Ｂの濃度が徐々に変化する期間は、予め定めた期間であればよい。例えば、退席時刻から所定時間（例えば、３０分等）の期間において、表示領域８０Ｂ５の第４表示形態に向かって、表示領域８０Ｂの濃度が表示領域８０Ｂ１の第３表示形態から徐々に変化し、該所定期間を超えると、表示領域８０Ｂ５の第４表示形態を維持してもよい。
【００５７】
なお、本実施の形態では、表示形態群αにおける表示形態は、同一色で経過時間情報に応じて濃度が異なる場合を説明するが、濃度の変化に限られない。同様に、表示形態群βにおける表示形態は、同一色で経過時間情報に応じて濃度が異なる場合を説明するが、濃度の変化に限られない。例えば、同一色で、彩度、明度、形状等が異なっていてもよい。
【００５８】
また、本実施の形態では、表示形態群α及び表示形態群βにおける表示形態は、同一色で経過時間情報に応じて濃度が異なる場合を説明するが、例えば、特定の色を示す領域の占める割合（占有率）が変化する形態であってもよい。
【００５９】
この場合には、表示形態記憶部６２は、出席を示す表示形態群αの内の１の表示形態である第１表示形態として、表示名の表示領域８０の２割（占有率２０％）を、出席を示す特定色で示す形態を記憶する。また、表示形態記憶部６２は、第２表示形態として、表示名の表示領域８０の全て（占有率１００％）を、出席を示す特定色で示す形態を記憶する。また、表示形態記憶部６２は、出席を示す第１情報及び経過時間情報に対応づけて、該第１表示形態から経過時間が長くなるほど該第２表示形態に向かって、表示名の表示領域８０における出席を示す特定色の占める割合が変化する表示形態を、記憶すればよい。
【００６０】
同様に、表示形態記憶部６２は、退席を示す第４表示形態の内の１の表示形態である第３表示形態として、表示名の表示領域８０の２割（占有率２０％）を、退席を示す特定色で示す形態を記憶する。また、表示形態記憶部６２は、第４表示形態として、表示名の表示領域８０の全て（占有率１００％）を、退席を示す特定色で示す形態を記憶する。また、表示形態記憶部６２は、退席を示す第１情報及び経過時間情報に対応づけて、該第３表示形態から経過時間が長くなるほど該第４表示形態に向かって、表示名の表示領域８０における退席を示す特定色の占める割合が第２表示形態に向かって変化する表示形態を、記憶すればよい。
【００６１】
図７は、経過時間情報に応じた表示形態の変化を示す模式図である。
【００６２】
上述のように、例えば、表示形態記憶部６２が、出席を示す第１情報及び経過時間情報に対応づけて、表示形態群αの内の第１表示形態から経過時間が長くなるほど、表示形態群αの内の第２表示形態に向かって、表示名の表示領域８０における出席を示す特定色の占める割合が変化する表示形態を、記憶する。この場合、図７に示すように、例えば、出席時刻ＴＡから退席時刻ＴＢまでの出退表示対象者が出席した状態にある期間Ａでは、出席時刻ＴＡからの経過時間が長くなるほど（図７中、ＴＡの右側に連続するＴ１〜Ｔ５参照）、出席を示す黄色Ｃの領域が２０％を占める表示領域８０Ａ１の表示形態（第１表示形態）から１００％を占める表示領域８０Ａ５の表示形態（第２表示形態）に向かって、黄色Ｃの領域が徐々に増えていく（表示領域８０Ａ１〜８０Ａ４の黄色Ｃの領域参照）。
【００６３】
また、同様に、表示形態記憶部６２が、退席を示す第１情報及び経過時間情報に対応づけて、経過時間が長くなるほど表示形態群βの内の第３表示形態から表示形態群βの内の第４表示形態に向かって、表示名の表示領域８０における退席を示す特定色の占める割合が変化する表示形態を、記憶する。この場合、図７に示すように、例えば、退席時刻ＴＢから出席時刻ＴＡまでの出退表示対象者が退席した状態にある期間Ｂでは、退席時刻ＴＢからの経過時間が長くなるほど（図７中、ＴＢの右側に連続するＴ１〜Ｔ５参照）、退席を示す青色Ｆの領域が２０％を占める表示領域８０Ｂ１の表示形態から１００％を占める表示領域８０Ｂ５の表示形態に向かって、青色Ｆの領域が徐々に増えていく（表示領域８０Ｂ１〜８０Ｂ４の青色Ｆの領域参照）。
【００６４】
なお、図７に示すように、退席または出席を示す特定色の領域の占有率が変化する形態の場合には、各表示名の表示領域８０における、出席または退席を示す特定色の領域以外の領域の色（図７中、色Ｄ及び色Ｇ参照）は、出席または退席を示す特定色（図７中、色Ｃ及び色Ｆ参照）とは異なる色であることが好ましい。
【００６５】
図２に戻り、このように、表示形態記憶部６２は、出席時刻ＴＡや退席時刻ＴＢからの経過時間に応じて、異なる表示形態を対応づけて記憶する。
【００６６】
制御部２４は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）などを含んで構成されるコンピュータであり、出退表示装置１２全体を制御する。
【００６７】
制御部２４は、変更部３２及び出退管理部３４を備える。
【００６８】
変更部３２は、記憶部２６に格納されている各種情報の変更（登録または削除）を行う。変更部３２は、受付部３６、表示制御部３８、第１認証部４０、第２認証部４２、及び更新部４４を備える。
【００６９】
受付部３６は、認証器１４または操作部２０から、識別情報を受け付ける。なお、受付部３６や、アクセス権記憶部５６に格納されている識別情報が、ユーザ名やユーザＩＤ等の場合には、操作部２０から識別情報を受け付ける。一方、アクセス権記憶部５６に格納されている識別情報が生体認証情報である場合には、受付部３６は、認証器１４から生体認証情報を識別情報として受け付ける。また、受付部３６は、第１認証部４０の認証結果に応じて、登録対象の新たな個人情報及び登録指示と、削除対象の個人情報及び削除指示と、の少なくとも一方を受け付ける。また、受付部３６は、第２認証部４２の認証結果に応じて、登録対象の新たな生体認証情報及び登録指示と、削除対象の生体認証情報及び削除指示と、の少なくとも一方を受け付ける。
【００７０】
表示制御部３８は、表示部２２に各種設定を行うための入力画面を表示する。第１認証部４０は、受付部３６で受け付けた識別情報が、アクセス権記憶部５６に格納されている第１権限に対応する識別情報であるか否かを認証する。第２認証部４２は、受付部３６で受け付けた識別情報が、アクセス権記憶部５６に格納されている第２権限に対応する識別情報であるか否かを認証する。更新部４４は、第１認証部４０及び第２認証部４２の認証結果に応じて、生体認証情報記憶部５８や出退状況情報記憶部６０を更新する。
【００７１】
出退管理部３４は、出退表示対象者の出退状況を管理する。出退管理部３４は、受付部４６、照合部４８、更新部５０、表示画像生成部５２、出力部５４を備える。
【００７２】
受付部４６は、認証器１４から出退表示対象者の生体認証情報を受け付ける。照合部４８では、受け付けた生体認証情報が生体認証情報記憶部５８に格納されているか否かを判別することによって照合を行う。更新部５０は、照合部４８によって照合された生体認証情報に対応する出退表示対象者のＩＤ情報の、出席または退席を示す第１情報を更新する。すなわち、更新部５０は、照合された生体認証情報に対応する第１情報が出席である場合には退席に変更する。また、更新部５０は、照合された生体認証情報に対応する第１情報が退席である場合には出席に変更することによって、第１情報を更新する。また、更新部５０は、内部に電波時計等の時計機能部を有しており、受付部４６が認証器１４から生体認証情報を受け付けた時刻を、出席時刻または退席時刻を示す時刻情報として出退状況情報記憶部６０に格納する。
【００７３】
表示画像生成部５２は、出退状況情報記憶部６０及び表示形態記憶部６２に基づいて、出退表示対象者の出退状況を示す表示画像を生成する。具体的には、出退状況情報記憶部６０に格納されている各出退表示対象者のＩＤ情報に対応する出席または退席を示す第１情報と、出退時刻と、該出退時刻からの経過時間と、に対応する表示形態で各表示名の表示領域８０が表示されるように、表示画像を生成する。
【００７４】
出力部５４は、表示画像生成部５２で生成された表示画像情報を、ＰＣ１８や表示部１６や表示部２２へ出力する。
【００７５】
次に、本実施の形態の出退表示システム１０における、出退表示装置１２で行われる更新処理について説明する。
【００７６】
図８は、出退表示装置１２で行う更新処理の手順を示すフローチャートである。
【００７７】
変更部３２では、ユーザによる操作部２０の操作指示によって、新たな情報の登録や登録されている情報の削除を示す信号を操作部２０から受け付けると、図８に示す更新処理を実行する。
【００７８】
まず、変更部３２の表示制御部３８が、記憶部２６に予め記憶した設定者情報入力画面情報を読み取り（ステップＳ１００）、表示部２２に表示する（ステップＳ１０２）。設定者情報入力画面とは、新たな情報の登録や登録されている情報の削除を行うユーザである設定者の情報を入力するための画面である。この設定者情報入力画面には、例えば、設定者の情報の入力欄と、設定者の情報としてのユーザの識別情報の入力を促すメッセージが表示される。
【００７９】
なお、設定者情報入力画面には、このユーザの識別情報として、アクセス権記憶部５６に格納されているユーザの識別情報に対応する種類の情報の入力を促すメッセージが表示される。例えば、アクセス権記憶部５６に格納されているユーザの識別情報が、ユーザＩＤである場合には、ユーザＩＤの入力を促すメッセージが表示される。また、アクセス権記憶部５６に格納されているユーザの識別情報が、生体認証情報である場合には、設定者の生体認証情報の入力を促すメッセージが表示される。
【００８０】
表示部２２に設定者情報の入力画面が表示されると、設定者は、操作部２０の操作または認証器１４へ生体認証情報を読み取らせることによって、該設定者の識別情報を入力する。
【００８１】
次に、受付部３６は、操作部２０または認証器１４から、設定者の識別情報を受け付けたか否かを判断する（ステップＳ１０４）。そして、ステップＳ１０４で否定判断した場合には（ステップＳ１０４：Ｎｏ）、後述するステップＳ１１８へ進む。一方、設定者の識別情報を受け付けたと判断することによって肯定判断した場合には（ステップＳ１０４：Ｙｅｓ）、ステップＳ１０６へ進む。
【００８２】
ステップＳ１０６では、受付部３６が、個人情報の登録または削除を指示する指示信号を操作部２０から受け付けたか否かを判断する（ステップＳ１０６）。例えば、ステップＳ１０６で肯定判断した場合に、表示制御部３８が、個人情報の登録または削除を指示するためのボタン画像、生体認証情報の登録または削除を指示するためのボタン画像、及び更新処理の終了を指示するためのボタン画像を表示部２２に表示する。そして、ユーザによる操作部２０の操作指示によって、個人情報の登録または削除を指示するためのボタン画像が操作指示されたときに、個人情報の登録または削除を示す指示信号を操作部２０が送信するようにすればよい。また、ユーザによる操作部２０の操作指示によって、生体認証情報の登録または削除を指示するためのボタン画像が操作指示されたときには、生体認証情報の登録または削除を示す指示信号を操作部２０が送信するようにする。また、操作部２０の操作指示によって、更新処理の終了を指示するためのボタン画像が操作指示されたときには、更新処理の終了を示す指示信号を操作部２０が送信するようにする。
【００８３】
そして、受付部３６は、操作部２０から個人情報の登録または削除を示す指示信号を受け付けたか否かを判別することによって、ステップＳ１０６の判断を行えばよい。
【００８４】
そして、受付部３６は、個人情報の登録または削除を示す指示信号を操作部２０から受け付けた場合には、肯定判断し（ステップＳ１０６：Ｙｅｓ）、ステップＳ１０８へ進む。
【００８５】
次に、第１認証部４０が、ステップＳ１０４で受け付けた設定者の識別情報が、個人情報の登録または削除を行う第１権限を有するか否かを判断する（ステップＳ１０８）。具体的には、第１認証部４０は、ステップＳ１０４で受け付けた設定者の識別情報が、個人情報の登録または削除を行う第１権限に対応づけてアクセス権記憶部５６に格納されているか否かを判断することによって、ステップＳ１０８の判断を行う。
【００８６】
ステップＳ１０４で受け付けた設定者の識別情報が、第１権限に対応づけてアクセス権記憶部５６に格納されていない場合には、否定判断し（ステップＳ１０８：Ｎｏ）、ステップＳ１２０へ進む。そして、表示制御部３８は、権限を有しないため個人情報の登録削除を行うことは出来ないことを示すエラー画像を表示部２２に表示し（ステップＳ１２０）、後述するステップＳ１１８へ進む。
【００８７】
一方、ステップＳ１０４で受け付けた設定者の識別情報が、第１権限に対応づけてアクセス権記憶部５６に格納されている場合には、肯定判断し（ステップＳ１０８：Ｙｅｓ）、ステップＳ１１０へ進む。
【００８８】
次に、表示制御部３８が、個人情報登録削除画面情報を記憶部２６から読み取り（ステップＳ１１０）、表示部２２に表示する（ステップＳ１１２）。個人情報登録削除画面は、登録対象の新たな個人情報や、登録されている個人情報の内の削除対象の個人情報を入力するための画面である。この個人情報登録削除画面には、例えば、登録対象の新たな個人情報の入力欄や、登録を指示するための登録ボタンや、記憶部２６に格納されている個人情報の内の削除対象の個人情報を指示するための指示欄や、削除を指示するための削除ボタンや、更新処理を行わないことを指示するための終了ボタン等が含まれる。
【００８９】
そして、受付部３６は、ユーザ（すなわち設定者）による操作部２０の操作指示によって、登録対象の新たな個人情報及び登録指示と、削除対象の個人情報及び削除指示と、の少なくとも一方を操作部２０から受け付けたか否かを判断する（ステップＳ１１４）。
【００９０】
ステップＳ１１４で否定判断（ステップＳ１１４：Ｎｏ）した場合には、更新処理を行わないことを指示するための終了ボタンが指示されたものとして、後述するステップＳ１１８へ進む。
【００９１】
ステップＳ１１４で肯定判断し（ステップＳ１１４：Ｙｅｓ）、登録対象の新たな個人情報及び登録指示と、削除対象の個人情報及び削除指示と、の少なくとも一方を操作部２０から受け付けると、ステップＳ１１６へ進む。
【００９２】
そして、ステップＳ１１６において、更新部４４は、ステップＳ１１４で受け付けた情報が、登録対象の新たな個人情報及び登録指示である場合には、該個人情報を出退状況情報記憶部６０に新たに登録することによって、出退状況情報記憶部６０を更新する。また、ステップＳ１１６において、更新部４４は、ステップＳ１１４で受け付けた情報が、削除対象の個人情報及び削除指示である場合には、該個人情報を出退状況情報記憶部６０から削除することによって、出退状況情報記憶部６０を更新する。
【００９３】
次に、更新部４４は、更新処理の終了を示す終了指示信号を操作部２０から受け付けたか否かを判断する（ステップＳ１１８）。例えば、操作部２０の予め定めた終了を指示するためのキーやボタンがユーザによって操作指示されたときに、更新処理の終了を示す終了指示信号を操作部２０から受け付けるものとする。そして、更新部４４は、該終了指示信号を受け付けたか否かを判断することによって、ステップＳ１１８の判断を行う。なお、表示部２２に、更新処理の終了を示す終了ボタン及び続行を示す続行ボタンを表示し、ユーザによる操作部２０の操作指示によって、該終了ボタンが指示されたときに、終了指示信号を受け付けるようにしてもよい。
【００９４】
更新部４４がステップＳ１１８で肯定判断すると（ステップＳ１１８：Ｙｅｓ）、本ルーチンを終了し、否定判断すると（ステップＳ１１８：Ｎｏ）、上記ステップＳ１０６に戻る。
【００９５】
一方、上記ステップＳ１０６において、受付部３６が否定判断すると（ステップＳ１０６：Ｎｏ）、ステップＳ１２２へ進む。例えば、ステップＳ１０６で肯定判断した場合に、表示制御部３８が、個人情報の登録または削除を指示するためのボタン画像、生体認証情報の登録または削除を指示するためのボタン画像、及び更新処理の終了を指示するためのボタン画像を表示部２２に表示する。そして、ユーザの操作部２０の操作指示によって、生体認証情報の登録または削除を示す指示信号、または更新処理の終了を示す指示信号を、受付部３６が受け付けた場合には、ステップＳ１０６で否定判断すればよい。
【００９６】
ステップＳ１２２において、受付部３６は、生体認証情報の登録または削除を示す指示信号を受け付けたか否かを判断する（ステップＳ１２２）。そして、ステップＳ１２２で肯定判断すると（ステップＳ１２２：Ｙｅｓ）、ステップＳ１２４へ進む。一方、ステップＳ１２２で否定判断すると（ステップＳ１２２：Ｎｏ）、上記ステップＳ１１８へ進む。
【００９７】
次に、ステップＳ１２４において、第２認証部４２では、ステップＳ１０４で受け付けた設定者の識別情報が、生体認証情報の登録または削除を行う第２権限を有するか否かを判断する（ステップＳ１２４）。具体的には、第２認証部４２は、ステップＳ１０４で受け付けた設定者の識別情報が、生体認証情報の登録または削除を行う第２権限に対応づけてアクセス権記憶部５６に格納されているか否かを判断することによって、ステップＳ１２４の判断を行う。
【００９８】
ステップＳ１０４で受け付けた設定者の識別情報が、第２権限に対応づけてアクセス権記憶部５６に格納されていない場合には、否定判断し（ステップＳ１２４：Ｎｏ）、ステップＳ１３４へ進む。そして、表示制御部３８は、権限を有しないため生体認証情報の登録削除を行うことは出来ないことを示すエラー画像を表示部２２に表示し（ステップＳ１３４）、上記ステップＳ１１８へ進む。
【００９９】
一方、ステップＳ１０４で受け付けた設定者の識別情報が、第２権限に対応づけてアクセス権記憶部５６に格納されている場合には、肯定判断し（ステップＳ１２４：Ｙｅｓ）、ステップＳ１２６へ進む。
【０１００】
次に、表示制御部３８が、生体認証情報登録削除画面情報を記憶部２６から読み取り（ステップＳ１２６）、表示部２２に表示する（ステップＳ１２８）。生体認証情報登録削除画面は、登録対象の新たな生体認証情報や、登録されている生体認証情報の内の削除対象の生体認証情報を入力するための画面である。この生体認証情報登録削除画面には、例えば、生体認証情報の登録対象の個人情報の一覧や、登録対象の新たな生体認証情報の読み取り実行を指示する指示ボタンや、登録を指示するための登録ボタンや、記憶部２６に格納されている生体認証情報の内の削除対象の生体認証情報を指示するための指示欄や、削除を指示するための削除ボタンや、更新処理を行わないことを指示するための終了ボタン等が含まれる。
【０１０１】
そして、更新部４４は、登録されている個人情報に対応する、登録対象の新たな生体認証情報及び登録指示と、削除対象の生体認証情報及び削除指示と、の少なくとも一方を操作部２０及び認証器１４から受け付けたか否かを判断する（ステップＳ１３０）。
【０１０２】
ステップＳ１３０で否定判断（ステップＳ１３０：Ｎｏ）した場合には、更新処理を行わないことを指示するための終了ボタンが指示されたものとして、上記ステップＳ１１８へ進む。
【０１０３】
ステップＳ１３０で肯定判断し（ステップＳ１３０：Ｙｅｓ）、個人情報、登録対象の新たな生体認証情報、及び登録指示と、削除対象の生体認証情報及び削除指示と、の少なくとも一方を操作部２０及び認証器１４から受け付けると、ステップＳ１３２へ進む。
【０１０４】
そして、ステップＳ１３２において、更新部４４は、ステップＳ１３０で受け付けた情報が、個人情報、登録対象の新たな生体認証情報、及び登録指示である場合には、該生体認証情報を対応する個人情報に対応づけて出退状況情報記憶部６０に新たに登録する。これによって、更新部４４は、出退状況情報記憶部６０を更新する。また、ステップＳ１３２において、更新部４４は、ステップＳ１３０で受け付けた情報が、削除対象の生体認証情報及び削除指示である場合には、該生体認証情報を出退状況情報記憶部６０から削除することによって、出退状況情報記憶部６０を更新する。
【０１０５】
次に、更新部４４は、更新処理の終了を示す終了指示信号を操作部２０から受け付けたか否かを判断する（ステップＳ１１８）。例えば、操作部２０の予め定めた終了を指示するためのキーやボタンがユーザによって操作指示されたときに、更新処理の終了を示す終了指示信号を操作部２０から受け付けるものとする。そして、更新部４４は、該終了指示信号を受け付けたか否かを判断することによって、ステップＳ１１８の判断を行う。なお、表示部２２に、更新処理の終了を示す終了ボタン及び続行を示す続行ボタンを表示し、ユーザによる操作部２０の操作指示によって、該終了ボタンが指示されたときに、終了指示信号を受け付けるようにしてもよい。
【０１０６】
更新部４４がステップＳ１１８で肯定判断すると（ステップＳ１１８：Ｙｅｓ）、本ルーチンを終了し、否定判断すると（ステップＳ１１８：Ｎｏ）、上記ステップＳ１０６に戻る。
【０１０７】
制御部２４の変更部３２が、上記更新処理を実行することによって、特定の権限を有するユーザのみが、出退表示対象者の個人情報の登録削除を行うことができる。また、特定の権限を有するユーザのみが、出退表示対象者の生体認証情報の登録削除を行うことができる。
【０１０８】
このため、記憶部２６への個人情報や生体認証情報の不正な登録や不正な削除を防止することができる。
【０１０９】
また、出退表示対象者の個人情報や生体認証情報の登録削除を行うユーザの認証に、生体認証情報を用いることによって、さらに、不正な登録や不正な削除を防止することができる。
【０１１０】
次に、認証器１４が行う認証処理について説明する。図９は、認証器１４が行う認証処理の手順を示すフローチャートである。なお、図９は、認証器１４が、生体認証情報として指紋情報を用いる場合の一例を示すフローチャートである。
【０１１１】
認証器１４では、ユーザの指を検知すると、認証処理を開始し、読取部６４が指紋画像を読み取る（ステップＳ２００）。なお、ユーザの指の検知は、別途設けられたセンサによって検知してもよいし、読取部６４に圧力センサ等を設けて接触を検知したときに、ユーザの指を検知したとしてもよい。
【０１１２】
次に、抽出部６６が、読取部６４で読み取った指紋画像の特徴点を抽出する（ステップＳ２０２）。そして、送信部６８が、抽出部６６で抽出された特徴点を、出退表示対象者の生体認証情報（すなわち識別情報）として、出退表示装置１２へ送信する（ステップＳ２０４）。
【０１１３】
次に、出退管理部３４が実行する出退管理処理を説明する。図１０は、出退管理部３４が実行する出退管理処理の手順を示すフローチャートである。
【０１１４】
出退管理部３４は、所定時間毎に図１０に示す出退管理処理を実行する。出退管理部３４の受付部４６は、認証器１４から生体認証情報を受け付けたか否かを判断する（ステップＳ３００）。ステップＳ３００で否定判断すると（ステップＳ３００：Ｎｏ）本ルーチンを終了し、肯定判断すると（ステップＳ３００：Ｙｅｓ）ステップＳ３０２へ進む。
【０１１５】
次に、照合部４８が、上記ステップＳ３００で受け付けた生体認証情報と生体認証情報記憶部５８に格納されている生体認証情報とを照合する（ステップＳ３０２）。そして、照合部４８は、上記ステップＳ３００で受け付けた生体認証情報に一致する生体認証情報が生体認証情報記憶部５８に格納されているか否かを判断する（ステップＳ３０４）。ステップＳ３０４で否定判断すると（ステップＳ３０４：Ｎｏ）本ルーチンを終了し、肯定判断すると（ステップＳ３０４：Ｙｅｓ）ステップＳ３０６へ進む。
【０１１６】
次に、更新部５０が、出退状況情報記憶部６０における、ステップＳ３００で受け付けた生体認証情報に対応する、出席または退席を示す第１情報が出席を示すか否かを判断する（ステップＳ３０６）。
【０１１７】
ステップＳ３０６で肯定判断すると（ステップＳ３０６：Ｙｅｓ）、更新部５０は、ステップＳ３００で受け付けた生体認証情報に対応する出席を示す第１情報を、退席に変更する（ステップＳ３０８）。そして、後述するステップＳ３１２へ進む。
【０１１８】
一方、ステップＳ３０６で否定判断すると（ステップＳ３０６：Ｎｏ）、更新部５０は、ステップＳ３００で受け付けた生体認証情報に対応する退席を示す第１情報を、出席に変更する（ステップＳ３１０）。そして、後述するステップＳ３１２へ進む。
【０１１９】
次に、更新部５０は、上記ステップＳ３００で受け付けた生体認証情報に対応する時刻情報を、上記ステップＳ３００で生体認証情報を認証器１４から受け付けた時刻情報に更新し（ステップＳ３１２）、本ルーチンを終了する。
【０１２０】
出退管理部３４が、上記ステップＳ３００〜ステップＳ３１２に出退管理処理を実行することによって、生体認証情報によって識別された出退表示対象者が出席した状態または退席した状態の何れの状態にあるかを示す情報（第１情報）や、出席時刻または退席時刻を示す時刻情報を、管理することができる。
【０１２１】
また、出退表示対象者は、生体認証情報等の識別情報を認証器１４によって読み取らせることによって、出退状況を管理される。このため、生体表示対象者は、出席時や退席時にボタンを押す等の操作を行うことなく、出退状況が管理される。
【０１２２】
また、出退表示対象者は、生体認証情報を認証器１４によって読み取ることによって、出退状況を管理される。このため、出退表示システム１０では、なりすましを防止することができ、簡易な構成で用意に出退状況を精度よく管理することができる。
【０１２３】
なお、本実施の形態では、認証器１４は、生体認証情報等の識別情報のみを出退表示装置１２に送信する場合を説明するが、認証器１４は、該識別情報と共に、出席または退席を示す信号（出席信号または退席信号）を出退表示装置１２に送信してもよい。この場合には、例えば、認証器１４に、出席を指示するためのボタン等の指示部と、退席を示すボタン等の指示部を設ける。そして、出席を指示するための指示部が出退表示対象者によって操作されると、認証器１４は、抽出部６６で抽出した特徴点としての生体認証情報（すなわち識別情報）と、出席を示す出席信号と、を出退表示装置１２へ送信すればよい。同様に、退席を指示するための指示部が出退表示対象者によって操作されると、認証器１４は、抽出部６６で抽出した特徴点としての生体認証情報（すなわち識別情報）と、退席を示す出席信号と、を出退表示装置１２へ送信すればよい。
【０１２４】
そして、出退表示装置１２における出退管理部３４は、上記ステップＳ３００の生体認証情報受付の判断時に、生体認証情報と出席信号または退席信号とを受け付けたか否かを判断すればよい。そして、出退管理部３４は、上記ステップＳ３０６〜ステップＳ３１０の処理に代えて、下記処理を行えばよい。具体的には、出退管理部３４は、該ステップＳ３００で出席信号を受け付けた場合には、該ステップＳ３００で受け付けた生体認証情報に対応する第１情報として出席を示す情報を出退状況情報記憶部６０に記憶すればよい。また、出退管理部３４は、該ステップＳ３００で退席信号を受け付けた場合には、該ステップＳ３００で受け付けた生体認証情報に対応する第１情報として退席を示す情報を出退状況情報記憶部６０に記憶すればよい。
【０１２５】
次に、出退管理部３４が行う出退表示処理について説明する。図１１は、出退管理部３４が行う出退表示処理の手順を示すフローチャートである。
【０１２６】
図示を省略する電源スイッチがユーザ等によって操作されることで、出退表示装置１２の装置各部に電力が供給されると、所定時間毎に、図１１に示す出退表示処理を実行する。
【０１２７】
出退管理部３４の表示画像生成部５２は、出退状況情報記憶部６０から出退状況情報を読み取る（ステップＳ４００）。詳細には、表示画像生成部５２は、出退状況情報として、出退状況情報記憶部６０に格納されているすべての情報を読み取る。
【０１２８】
次に、表示画像生成部５２は、ステップＳ４００で読み取った出退状況情報に含まれる、出退表示対象者を一意に識別するＩＤ情報の数を示すＩＤ数を取得する（ステップＳ４０３）。表示画像生成部５２は、出退状況情報に含まれるＩＤ情報の数を計数することによってＩＤ数を取得する。
【０１２９】
次に、表示画像生成部５２は、ステップＳ４０４〜ステップＳ４１４の処理を、ステップＳ４０２で読み取ったＩＤ数分繰り返し実行する。
【０１３０】
まず、表示画像生成部５２は、ステップＳ４０２で読み取った複数のＩＤ情報の内の、未処理の１つのＩＤ情報を処理対象のＩＤ情報とする。そして、処理対象のＩＤ情報に対応する、出席時刻または退席時刻を示す時刻情報を出退状況情報記憶部６０から読み取る（ステップＳ４０４）。
【０１３１】
次に、表示画像生成部５２は、ステップＳ４０４で読み取った時刻情報と現在時刻とから、該時刻情報からの経過時間を算出する（ステップＳ４０６）。なお、現在時刻は、図示を省略する時計機能部から得ればよい。
【０１３２】
次に、表示画像生成部５２は、出退状況情報記憶部６０における処理対象のＩＤ情報に対応する第１情報が、出席を示すか否かを判断する（ステップＳ４０８）。出退状況情報記憶部６０における処理対象のＩＤ情報に対応する第１情報が、出席を示す場合には肯定判断し（ステップＳ４０８：Ｙｅｓ）、ステップＳ４１０へ進む。
【０１３３】
そして、出席を示す第１情報と、上記ステップＳ４０６で算出した経過時間と、に対応する、表示形態を示す情報を表示形態記憶部６２から読み取る（ステップＳ４１４）。そして、後述するステップＳ４１４へ進む。
【０１３４】
一方、出退状況情報記憶部６０における処理対象のＩＤ情報に対応する第１情報が、退席を示す場合には、表示画像生成部５２は否定判断し（ステップＳ４０８：Ｎｏ）、ステップＳ４１２へ進む。
【０１３５】
そして、退席を示す第１情報と、上記ステップＳ４０６で算出した経過時間と、に対応する、表示形態を示す情報を表示形態記憶部６２から読み取る（ステップＳ４１２）。そして、後述するステップＳ４１４へ進む。
【０１３６】
そして、表示画像生成部５２では、処理対象のＩＤ情報に対応する表示名の表示領域８０の第１表示画像を生成する（ステップＳ４１４）。
【０１３７】
具体的には、例えば、出席を示す第１情報と、上記ステップＳ４０６で算出した経過時間と、に対応する、表示形態を示す情報が、図６に示す表示領域８０Ａ５（濃度１００％で黄色）であるとする。この場合には、表示画像生成部５２は、濃度１００％の黄色の表示領域８０Ａ５上に、第１表示形態〜第４表示形態の何れとも色及び濃度の異なる色濃度で表示名Ｅを表示する第１表示画像を生成する。なお、表示名Ｅの表示色は、予め記憶部２６に記憶しておけばよい。
【０１３８】
そして、表示画像生成部５２は、上記ステップＳ４０４〜ステップＳ４１４の処理をＩＤ数分繰り返し実行することによって、ＩＤ情報（すなわち出退表示対象のユーザ）毎の、出退状況を示す第１表示画像を生成する。
【０１３９】
そして、表示画像生成部５２は、上記ステップＳ４０４〜ステップＳ４１４で生成した複数のＩＤ情報毎の出退状況を示す第１表示画像群を含む表示画像を、表示部２２、及び表示部１６に表示する（ステップＳ４１６）。そして、本ルーチンを終了する。
【０１４０】
なお、表示画像生成部５２は、上記ステップＳ４０４〜Ｓ４１４で生成したＩＤ情報毎の出退状況を示す各第１表示画像を、ＩＤ情報毎に予め定めた位置に配置することで、第１表示画像群を含む表示画像を、表示部２２及び表示部１６に表示する。ＩＤ情報毎の表示位置は、例えば、ユーザによる操作部２０の操作指示等によって予め設定して、記憶部２６に記憶しておけばよい。
【０１４１】
なお、表示画像の生成方法は、上述のように、各第１表示画像を生成した後に、複数の第１画像群を含む表示画像を生成する方法に限られない。例えば、ＩＤ情報毎に予め定められた位置に各第１表示画像を配置する表示画像データにおける、各第１表示画像の表示形態を示す情報を、上記ステップＳ４１０及び上記ステップＳ４１２で読み取った表示形態を示す情報に変更することによって、表示画像を生成してもよい。
【０１４２】
なお、上記では、出退管理部３４は、出退表示装置１２の装置各部に電力が供給されると、所定時間毎に、図１１に示す出退表示処理を実行する場合を説明した。本実施の形態では、さらに、割り込み処理を実行し、出退表示対象者の出退状況の表示を実行するための表示指示信号をＰＣ１８から受け付けたときに、さらに、図１１に示す出退表示処理を実行する。この場合には、上記ステップＳ４１６の表示処理に代えて、生成した複数の第１表示画像を含む表示画像の表示画像情報を、表示指示信号を送信したＰＣ１８に送信する。表示画像情報を受信したＰＣ１８では、ＰＣ１８の表示部１７に受信した表示画像情報の表示画像を表示する。
【０１４３】
上記出退表示処理が実行されることによって、表示部１６には、例えば、図１２に示す表示画像９０が表示される。図１２は、表示部１６に表示される、出退表示対象者の出退状況の表示画像の一例を示す模式図である。
【０１４４】
図１２に示す表示画像９０では、背景領域９２上に、出退表示対象者毎の表示名の表示領域８０（８０Ａ１〜８０Ａ５、８０Ｂ１〜８０Ｂ５）が表示される。各表示領域８０内には、出退表示対象者の表示名が表示される。また、表示画像９０には、各種ユーザに提示するためのテロップ情報８４等も表示される。テロップ情報８４は、操作部２０の操作指示によって入力され、記憶部２６に記憶しておけばよい。そして、表示画像生成部５２は、表示画像の生成時に、第１表示画像とともに、テロップ情報８４も含む表示画像を生成すればよい。
【０１４５】
そして、出退表示対象者の各表示領域８０は、各表示領域８０内に表示されている表示名に対応する出退表示対象者が出席状態である場合には出席時刻からの経過時間、出退表示対象者が退席状態である場合には退席時刻からの経過時間に応じた表示形態で表示されることとなる。
【０１４６】
このため、表示部１６に表示された表示画像９０を視認するユーザは、表示画像９０に表示されている各出退表示対象者が出席時刻からどの程度経過した状態にあるか、退席時刻からどの程度経過した状態にあるかを、目視で用意に把握することができる。
【０１４７】
なお、背景領域９２の色と各表示領域８０の色との組み合わせや、各表示領域８０の色と表示名の色との組み合わせは、出席を示す状態のときにより視認しやすい色の組み合わせとなるように、予め設定することが好ましい。
【０１４８】
なお、表示部１６、表示部１７、表示部２２の設置場所に応じて、異なる表示画像を生成してもよい。
【０１４９】
例えば、出入り口等の不特定多数のユーザによって視認可能な領域に設置された表示部１６に表示する表示画像としては、図１２に示すように、出退表示対象者毎の表示名の表示領域８０（８０Ａ１〜８０Ａ５、８０Ｂ１〜８０Ｂ５）上に表示名の表示された第１表示画像群と、テロップ情報８４と、案内情報８２と、を含む表示画像９０が挙げられる。
【０１５０】
また、出退表示装置１２にイントラネット等の通信回線７０（図１参照）によって接続されたＰＣ１８の表示部１７に表示する表示画像としては、図１３に示すように、出退表示対象者毎の表示名の表示領域８０（８０Ａ１〜８０Ａ５、８０Ｂ１〜８０Ｂ５）上に表示名の表示された第１表示画像群と、更新ボタン９４Ａと、閉じるボタン９４Ｂと、案内情報８２と、を含む表示画像９０Ａが挙げられる。なお、更新ボタン９４Ａは、第１表示画像の更新を指示するときにユーザによって指示されるボタン画像である。更新ボタン９４Ａが指示された場合には、該ＰＣ１８から出退表示装置１２に、上述した表示指示信号を送信する。これによって、新たな表示画像情報が出退表示装置１２から該ＰＣ１８へ送信され、ＰＣ１８の表示部１７に表示する表示画像を更新することができる。また、閉じるボタン９４Ｂは、表示画像９０Ａを閉じることを指示するときにユーザによって指示されるボタン画像である。
【０１５１】
また、出退表示装置１２の表示部２２に表示する表示画像としては、図１４に示すように、出退表示対象者毎の表示名の表示領域８０（８０Ａ１〜８０Ａ５、８０Ｂ１〜８０Ｂ５）上に表示名の表示された第１表示画像群と、更新ボタン９４Ａと、閉じるボタン９４Ｂと、テロップ情報の入力欄９４Ｅと、入力欄９４Ｅに入力されたテロップ情報の表示の有無を示すチェックボックス９４Ｄと、入力欄９４Ｅに入力されたテロップ情報とチェックボックス９４Ｄにチェックされた表示の有無の状態を記憶部２６に記憶する保存ボタン９４Ｃと、を含む表示画像９０Ｂが挙げられる。
【０１５２】
なお、表示形態記憶部６２に格納されている表示形態が、経過時間情報に応じて特定色を示す領域の占有率が変化する形態である場合には、表示部１６には、例えば、図１５に示す表示画像９６が表示される。
【０１５３】
図１５は、表示部１６に表示される、出退表示対象者の出退状況の表示画像の一例を示す模式図である。
【０１５４】
図１５に示す表示画像９６では、背景領域９２上に、出退表示対象者毎の表示名の表示領域８０（８０Ａ１〜８０Ａ５、８０Ｂ１〜８０Ｂ５）が表示される。各表示領域８０内には、出退表示対象者の表示名が表示される。また、表示画像９６には、各種ユーザに提示するためのテロップ情報８４等も表示される。
【０１５５】
そして、出退表示対象者の各表示領域８０の表示形態は、各表示領域８０内に表示されている表示名に対応する出退表示対象者が出席状態である場合には、出席時刻からの経過時間、出退表示対象者が退席状態である場合には退席時刻からの経過時間に応じた表示形態（特定色の占有率）で、各表示名の表示領域８０が表示されることとなる。
【０１５６】
このため、表示部１６に表示された表示画像９６を視認するユーザは、表示画像９６に表示されている各出退表示対象者が出席時刻からどの程度経過した状態にあるか、退席時刻からどの程度経過した状態にあるかを、目視で容易に把握することができる。
【０１５７】
従って、本実施の形態の出退表示システム１０によれば、出退表示対象者の詳細な出退状況を表示することができる。
【０１５８】
また、出退表示対象者の認証に、生体認証情報を用いることによって、なりすましや改ざんを防止することができ、出退表示対象者の正確な出退状況を管理及び表示することができる。
【０１５９】
一般に、出退表示対象者の登録または削除は、会社の出退表示システムにおいては、人事異動に密接に関連する。また、議会の議員の出退表示システムにおいては、選挙の結果に密接に関連する。このように、出退表示対象者の登録または削除は、人事担当者や選挙管理委員などの権限を持つものが行うことが好ましい。これに対し、生体認証情報の登録または削除は、実際に出退表示システムを管理する管理者が行うことが好ましい。したがって、個人情報の登録または削除を行う第１認証と、生体認証情報の登録または削除を行うための第２認証とを分けることにより、異なる人物に権限を付与することが可能となり、出退表示対象者に関する情報が不正に登録または削除されることを抑制することができる。
【０１６０】
なお、本実施の形態の出退表示装置１２は、ＣＰＵなどの制御装置（制御部２４）と、ＲＯＭやＲＡＭなどの記憶装置（記憶部２６）と、ＨＤＤ、ＣＤドライブ装置などの外部記憶装置と、ディスプレイ装置などの表示装置（表示部２２）と、キーボードやマウスなどの入力装置（操作部２０）を備えており、通常のコンピュータを利用したハードウェア構成となっている。
【０１６１】
本実施形態の出退表示装置１２で実行される更新処理、出退管理処理、及び出退表示処理の各々を実行するためのプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１６２】
また、本実施形態の出退表示装置１２で実行される更新処理、出退管理処理、及び出退表示処理の各々を実行するためのプログラムを、インターネット等のネットワークに接続されたコンピュータ上に格納し、ネットワーク経由でダウンロードさせることにより提供するように構成してもよい。また、本実施形態の出退表示装置１２で実行される更新処理、出退管理処理、及び出退表示処理の各々を実行するためのプログラムをインターネット等のネットワーク経由で提供または配布するように構成してもよい。
【０１６３】
また、本実施形態の出退表示装置１２で実行される更新処理、出退管理処理、及び出退表示処理の各々を実行するためのプログラムを、ＲＯＭ等に予め組み込んで提供するように構成してもよい。
【０１６４】
なお、本実施形態の出退表示装置１２の制御部２４は、上述した更新処理、出退管理処理、及び出退表示処理を実行するための機能部を含むモジュール構成となっており、実際のハードウェアとしてはＣＰＵ（プロセッサ）が上記記憶媒体から、更新処理、出退管理処理、及び出退表示処理の各々を実行するためのプログラムを読み出して実行することにより上記各機能部（変更部３２（受付部３６、表示制御部３８、第１認証部４０、第２認証部４２、更新部４４）、出退管理部３４（受付部４６、照合部４８、更新部５０、表示画像生成部５２、出力部５４））が主記憶装置上にロードされ、主記憶装置上に生成されるようになっている。
【０１６５】
なお、上記には、本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０１６６】
１０  出退表示システム
１２  出退表示装置
１４  認証器
１６、１７、２２  表示部
２４  制御部
２６  記憶部
３２  変更部
３４  出退管理部
３６、４６  受付部
３８  表示制御部
４４、５０  更新部
４８  照合部
５２  表示画像生成部
５４  出力部
【図１】
2013089102.tif 000003
【図２】
2013089102.tif 000004
【図３】
2013089102.tif 000005
【図５】
2013089102.tif 000006
【図６】
2013089102.tif 000007
【図７】
2013089102.tif 000008
【図８】
2013089102.tif 000009
【図９】
2013089102.tif 000010
【図１０】
2013089102.tif 000011
【図１１】
2013089102.tif 000012
【図１２】
2013089102.tif 000013
【図１３】
2013089102.tif 000014
【図１４】
2013089102.tif 000015
【図１５】
2013089102.tif 000016
【図４】
2013089102.tif 000017